(57)【要約】      （修正有）【課題】より簡略な構造で不要な輻射の低減を図り、これにより、コストアップ及び生産性の低下を防止できる電子機器を提供する。【解決手段】底面部２１と、当該底面部２１の端部から起立された起立面部２２とを有するボトムシャーシ２に取り付けられる回路基板に接続された電源コード１１を保持する電源コード保持構造を備える電子機器であって、起立面部２２の先端部には、ボトムシャーシ２の内側に折り曲げられて溝部２４ａを形成する折曲部２４が設けられ、折曲部２４の溝部２４ａに電源コード１１が嵌め込まれている。【選択図】図２
2007081175.tif 000002
【特許請求の範囲】
【請求項１】
底面部と、当該底面部の端部から起立された起立面部とを有するボトムシャーシに取り付けられる回路基板に接続された電源コードを保持する電源コード保持構造を備える電子機器であって、
前記起立面部の先端部には、前記回路基板側に折り曲げられて溝部を形成する折曲部が設けられ、
前記折曲部の前記溝部に前記電源コードが嵌め込まれていることを特徴とする電子機器。
【請求項２】
シャーシに取り付けられる回路基板に接続された電源コードを保持する電源コード保持構造であって、
前記シャーシの自由端部には、前記回路基板側に折り曲げられて溝部を形成する折曲部が設けられ、
前記折曲部の前記溝部に前記電源コードが嵌め込まれていることを特徴とする電源コード保持構造。
【請求項３】
前記シャーシは、底面部と、当該底面部の端部から起立された起立面部とを有するボトムシャーシを備え、
前記折曲部は、前記起立面部の先端部が折曲されてなることを特徴とする請求項２に記載の電源コード保持構造。
【請求項４】
前記起立面部は、交わるようにして少なくとも２つ設けられ、
前記２つの起立面部のうち、一の起立面部には、当該起立面部の先端部から基端部側に切り欠かれて前記電源コードが通される切欠部が設けられ、他の起立面部には、前記切欠部に前記溝部を対向させるようにして前記折曲部が設けられ、
前記電源コードには、その前記折曲部の前記切欠部と反対側の縁部よりも前記回路基板側に結び目が設けられていることを特徴とする請求項３に記載の電源コード保持構造。
【発明の詳細な説明】
【技術分野】
【０００１】
本発明は、回路基板に接続された電源コードを保持する電源コード保持構造及びこれを備える電子機器に関する。
【背景技術】
【０００２】
従来より、ＤＶＤプレイヤーやデジタル放送チューナーなどの電子機器のシャーシには、ＩＣなどの各種の電子部品が搭載されて電子回路が構成された回路基板が備えられており、この回路基板には、外部電源に接続される電源コードが取り付けられている。
【０００３】
ところで、電子機器の信号増幅部にて増幅された信号が外部に漏洩すると、不要な輻射となって他の電子回路等に電磁波障害を及ぼす恐れがある。そこで、シャーシを構成するボトムシャーシとトップシャーシとの取付部に生じる隙間ができる限り小さくなるようにすることで不要な輻射の低減を図っている。しかしながら、このような構造としても、電源コードから漏洩する信号、特に高周波の信号には効果がないため、かかる場合には、漏洩する信号を低減するための電子部品を電子回路に組み込むことで輻射対策するようになっている。
【０００４】
また、電源コードからの輻射の低減を図るために、当該電源コードをシールドする構造も知られている（例えば、特許文献１参照。）。
【特許文献１】特開平１０−２４２６８１号公報
【発明の開示】
【発明が解決しようとする課題】
【０００５】
しかしながら、上記のように、電子回路に漏洩する信号の低減用の電子部品を組み込んだ場合、当該電子部品のパーツ代がかかり、コストアップを招いてしまうといった問題がある。
【０００６】
また、上記特許文献１等の場合、シャーシを所定形状に加工する必要があることから、電源コードを被覆する構造が複雑となって電子機器の生産性が低下してしまうといった問題がある。
【０００７】
そこで、本発明の課題は、より簡略な構造で不要な輻射の低減を図ることができ、これにより、コストアップ及び生産性の低下を防止することができる電源コード保持構造及びこれを備える電子機器を提供することである。
【課題を解決するための手段】
【０００８】
上記課題を解決するため、請求項１に記載の発明は、
底面部と、当該底面部の端部から起立された起立面部とを有するボトムシャーシに取り付けられる回路基板に接続された電源コードを保持する電源コード保持構造を備える電子機器であって、
前記起立面部の先端部には、前記回路基板側に折り曲げられて溝部を形成する折曲部が設けられ、
前記折曲部の前記溝部に前記電源コードが嵌め込まれていることを特徴としている。
【０００９】
請求項２に記載の発明は、
シャーシに取り付けられる回路基板に接続された電源コードを保持する電源コード保持構造であって、
前記シャーシの自由端部には、前記回路基板側に折り曲げられて溝部を形成する折曲部が設けられ、
前記折曲部の前記溝部に前記電源コードが嵌め込まれていることを特徴としている。
【００１０】
請求項３に記載の発明は、請求項２に記載の電源コード保持構造において、
前記シャーシは、底面部と、当該底面部の端部から起立された起立面部とを有するボトムシャーシを備え、
前記折曲部は、前記起立面部の先端部が折曲されてなることを特徴としている。
【００１１】
請求項４に記載の発明は、請求項３に記載の電源コード保持構造において、
前記起立面部は、交わるようにして少なくとも２つ設けられ、
前記２つの起立面部のうち、一の起立面部には、当該起立面部の先端部から基端部側に切り欠かれて前記電源コードが通される切欠部が設けられ、他の起立面部には、前記切欠部に前記溝部を対向させるようにして前記折曲部が設けられ、
前記電源コードには、その前記折曲部の前記切欠部と反対側の縁部よりも前記回路基板側に結び目が設けられていることを特徴としている。
【発明の効果】
【００１２】
請求項１に記載の発明によれば、ボトムシャーシの起立面部の先端部には、当該ボトムシャーシの内側に折り曲げられて溝部を形成する折曲部が設けられ、折曲部の溝部に電源コードが嵌め込まれているので、電源コードの保持を適正に行うことができ、これにより、電源コードがボトムシャーシに接触した状態となって、電源コードから漏洩する不要な輻射を低減することができる。従って、従来のように電源コードを所定のシールド部材で被覆する場合に比べてより簡略な構造で不要な輻射の低減を図ることができる。また、輻射の低減を図るための所定の電子部品を電子回路に組み込む必要がなくなる。この結果、コストアップ及び生産性の低下を好適に防止することができる。
【００１３】
また、折曲部をボトムシャーシに取り付けられるトップシャーシに設ける場合に比べて、より簡略な構造で電源コードの保持及び当該電源コードからの輻射の低減を効率良く行うことができる。
【００１４】
請求項２に記載の発明によれば、シャーシの自由端部には、回路基板側に折り曲げられて溝部を形成する折曲部が設けられ、折曲部の溝部に電源コードが嵌め込まれているので、電源コードの保持を適正に行うことができ、これにより、電源コードがシャーシに接触した状態となって、電源コードから漏洩する不要な輻射を低減することができる。従って、従来のように電源コードを所定のシールド部材で被覆する場合に比べてより簡略な構造で不要な輻射の低減を図ることができる。また、輻射の低減を図るための所定の電子部品を電子回路に組み込む必要がなくなる。この結果、コストアップ及び生産性の低下を好適に防止することができる。
【００１５】
請求項３に記載の発明によれば、請求項２に記載の発明と同様の効果が得られるのは無論のこと、特に、ボトムシャーシの底面部の端部から起立された起立面部の先端部が折曲されて折曲部が形成されているので、折曲部をボトムシャーシに取り付けられるトップシャーシに設ける場合に比べて、より簡略な構造で電源コードの保持及び当該電源コードからの輻射の低減を効率良く行うことができる。
【００１６】
請求項４に記載の発明によれば、請求項３に記載の発明と同様の効果が得られるのは無論のこと、特に、電源コードには、その折曲部の切欠部と反対側の縁部よりも回路基板側に結び目が設けられているので、電源コードが外側に引き出されるように引っ張られた場合に、電源コードの結び目が折曲部の切欠部と反対側の縁部に係止されて、当該電源コードが抜け止めされることとなる。従って、起立面部に電源コードを固定するための固定部材を設ける必要がなくなって、コストダウンをより適正に行うことができる。
【発明を実施するための最良の形態】
【００１７】
以下に、本発明について、図面を用いて具体的な態様を説明する。ただし、発明の範囲は、図示例に限定されない。
【００１８】
図１は、本発明に係る電源コード保持構造を適用した好適な一実施形態の電子機器１００を示す斜視図である。また、図２は、図１のII−II線における電子機器１００の断面図である。
【００１９】
なお、図１にあっては、トップシャーシ３の図示を省略している。
【００２０】
本実施形態の電子機器１００は、例えば、ＤＶＤプレイヤーやデジタル放送チューナーなどが適用され、具体的には、図１及び図２に示すように、電子回路（図示略）が実装された回路基板１と、この回路基板１が搭載されたボトムシャーシ２と、このボトムシャーシ２を被覆するトップシャーシ３（図２参照）等を備えている。
【００２１】
回路基板１は、例えば、各種の電子部品が搭載されることで所定の電子回路を構成しており、当該電子回路の駆動用の外部電源に接続される電源コード１１が取り付けられている。
【００２２】
電源コード１１は、例えば、２本のコードが所定のカバー部材により束ねられて覆われることで２重構造とされている。
【００２３】
ボトムシャーシ２及びトップシャーシ３は、例えば、鉄などの導電性を有する所定の金属から形成されたものである。
【００２４】
また、ボトムシャーシ２は、例えば、底面部２１と、当該底面部２１の各辺の端部から略直角に起立された４つの起立面部２２、…等を備えている。
【００２５】
これら起立面部２２、…は、例えば、略等しい高さを有するものであり、隣合う起立面部どうし２２、２２が略直角に交わるようにして配設されている。そして、これら起立面部２２のうち、一の起立面部２２ａ（例えば、図１における手前側の起立面部２２）の所定位置には、電源コード１１が通されることで当該電源コード１１が外側に引き出されることを規制する樹脂製のブッシュ２３が設けられている。
【００２６】
また、一の起立面部２２ａに隣接する他の起立面部２２ｂの上端部（自由端部）には、内側に電源コード１１を固定される溝部２４ａを有する折曲部２４が設けられている。即ち、他の起立面部２２ｂは、例えば、図２に示すように、底面部２１に対して略直交して設けられた第一の直交面部２４１と、この第一の直交面部２４１の先端から当該ボトムシャーシ２の内側（回路基板１側）に延設されて、第一の直交面部２４１に略直交させて略水平に設けられた水平面部２４２と、この水平面部２４２の先端から延設されて、水平面部２４２に略直交させて第一の直交面部２４１に略平行に設けられた第二の直交面部２４３等を備えており、第一の直交面部２４１の上端部分、水平面部２４２及び第二の直交面部２４３により溝部２４ａを有する折曲部２４が構成されている。
【００２７】
そして、折曲部２４の溝部２４ａの内側には、底面部２１側から押し込まれるようにして嵌め込まれた電源コード１１が配設されている。
【００２８】
以上のように、本実施形態の電子機器１００によれば、ボトムシャーシ２の起立面部２２の先端部には、当該ボトムシャーシ２の内側に折り曲げられて溝部２４ａを形成する折曲部２４が設けられ、折曲部２４の溝部２４ａに電源コード１１が嵌め込まれているので、電源コード１１の保持を適正に行うことができ、これにより、電源コード１１がボトムシャーシ２に接触した状態となって、電源コード１１から漏洩する不要な輻射、特に不要な高周波帯域の信号を低減することができる。従って、従来のように電源コード１１を所定のシールド部材で被覆する場合に比べてより簡略な構造で不要な輻射の低減を図ることができる。
【００２９】
具体的には、電源コード１１をボトムシャーシ２に接触させない場合に不要な信号の輻射量が２２．５ｄｂであるのに対して、本発明に係る折曲部２４の溝部２４ａに電源コー
ド１１を嵌め込むことにより、輻射量を１８ｄｂとすることができることとなり、輻射量の約２０％の低減を図ることができる。
【００３０】
また、輻射の低減を図るための所定の電子部品を電子回路に組み込む必要がなくなって、電子機器１００のコストアップを防止することができる。さらに、電源コード１１をシールドする構成のものに比べてシャーシの加工を容易に行うことができるので、電子機器１００の生産性の低下を好適に防止することができる。
【００３１】
また、折曲部２４がボトムシャーシ２に設けられているので、折曲部２４をトップシャーシ３に設ける場合に比べて、より簡略な構造で電源コード１１の保持及び当該電源コード１１からの輻射の低減を効率良く行うことができる。
【００３２】
なお、本発明は、上記実施形態に限定されることなく、本発明の趣旨を逸脱しない範囲において、種々の改良並びに設計の変更を行っても良い。
【００３３】
例えば、水平面部２４２及び第二の直交面部２４３の長さ（図１における一の起立面部２２ａに直交し、且つ、第一の直交面部２４１に沿う方向の長さ）は、適宜任意に変更しても良く、不要な輻射の低減の観点からはより長い方が好ましく、例えば、後述する電子機器２００の変形例のように、一の起立面部２２ａの近傍まで延設される程度であっても良い。
【００３４】
また、上記実施形態では、一の起立面部２２ａに電源コード１１が引き出されることを規制するブッシュ２３を設けるようにしたが、これに限られるものではない。
【００３５】
以下に、一の起立面部２２ａにブッシュ２３を備えない構成のものを電子機器の変形例として、図３を参照して説明する。
【００３６】
図３に示すように、本変形例に係る電子機器２００は、一の起立面部２２ａに電源コード１１が通される切欠部２５が設けられ、当該一の起立面部２２ａに隣接する他の起立面部２２ｂに切欠部２５の近傍まで延設された折曲部２２４が設けられたボトムシャーシ２０２を備え、電源コード１１には、その折曲部２２４の切欠部２５と反対側の縁部よりも回路基板１側に結び目１１ａが設けられている。
【００３７】
即ち、ボトムシャーシ２０２の隣合う起立面部２２のうち、一の起立面部２２ａ（例えば、図３における手前側の起立面部２２）には、当該起立面部２２の先端部から基端部側に切り欠かれて電源コード１１が通される切欠部２５が設けられ、他の起立面部２２ｂ（例えば、図３における手前側の起立面部２２）には、切欠部２５に溝部２４ａを対向させるように、即ち、電源コード１１の通過方向が略同軸上となるようにして折曲部２２４が設けられている。
【００３８】
このような構成とすることによって、電源コード１１には結び目１１ａが設けられていることから、電源コード１１が外側に引き出されるように引っ張られることがあっても、この場合には、電源コード１１の結び目１１ａが折曲部２４の切欠部２５と反対側の縁部に係止されて、当該電源コード１１が抜け止めされることとなる。
【００３９】
これにより、一の起立面部２２ａに電源コード１１を固定するためのブッシュ２３を設ける必要がなくなって、電子機器２００のコストダウンをより適正に行うことができる。
【００４０】
また、上記実施形態における電子機器１００、２００の各部の形状等は一例であり、これに限定されるものではない。
【００４１】
例えば、上記実施形態では、ボトムシャーシ２、２０２として、４つの起立面部２２、…を備えるものを例示したが、これに限られるものではなく、交差するように配設された少なくとも２つの起立面部２２、２２が設けられていれば良い。
【図面の簡単な説明】
【００４２】
【図１】本発明に係る電源コード保持構造を適用した好適な一実施形態の電子機器を示す斜視図である。
【図２】図１のII−II線における電子機器の断面図である。
【図３】本発明に係る電子機器の変形例を示す斜視図である。
【符号の説明】
【００４３】
１００、２００  電子機器
１      回路基板
１１    電源コード
２、２０２  ボトムシャーシ
２１    底面部
２２、２２ａ、２２ｂ  起立面部
２４    折曲部
２５    切欠部
３      トップシャーシ
【図１】
2007081175.tif 000003
【図２】
2007081175.tif 000004
【図３】
2007081175.tif 000005